(57)【要約】      （修正有）【課題】フラットケーブルをより強固に固定できる電気コネクタを提供する。【技術手段】一対の固定孔２０２があり、前端から差し込むフラットケーブル２００を固定するための電気コネクタであり、接続座体１２０、複数の端子１３０、接続座体に取りつけられる蓋板１１０、及び金属製の一対の留め具１４０を備え、接続座体は、本体部、本体部の底部から前へ伸びた延伸部１２４、本体部の両側にある一対の収納スロットを備え、端子は本体部内に収納され、蓋板には一対の第一嵌合部１１２があり、一対の留め具は、それぞれ本体部内の保持アーム及び保持アームから前へ伸びた延伸アームに固定され、延伸アームの末端には第二嵌合部１４３が設けられている。蓋板を閉めたとき、第一嵌合部が第二嵌合部に嵌合し、フラットケーブル２００の一対の固定孔２０２内に挿嵌されることにより、フラットケーブルを係止させる。【選択図】図２
0003161714.tif 000002
【実用新案登録請求の範囲】
【請求項１】
一対の固定孔が設けられるフラットケーブルを前端から差し込み、固定するための電気コネクタであって、
接続座体と、複数の端子と、蓋板と、一対の留め具を有し、前記接続座体は、複数の端子スロットが設けられる本体部と、前記本体部の底部から前方へ伸びた延伸部と、前記本体部の両側に設けられる一対の収納スロットを有し、
前記複数の端子は、前記本体部の前記複数の端子スロット内に収容され、
前記蓋板は、前記接続座体に取りつけられる一対のシャフトと、一対の第一嵌合部を有し、
前記一対の留め具は、金属製で、それぞれ前記本体部内に固定される保持アームと、前記保持アームから前方へ伸びた延伸アームと、を有し、前記延伸アームの末端には第二嵌合部が設けられ、前記第二嵌合部は、前記第一嵌合部に嵌合されると共に前記フラットケーブルに設けられる前記一対の固定孔に挿嵌され、前記フラットケーブルを固定させるように設けられていることを特徴とする電気コネクタ。
【請求項２】
前記接続座体は、前記本体部の両側から前方へ伸びた一対の側壁と、前記収納スロットの上方に設けられる一対の仕切り板と、を更に有し、前記蓋板に設けられた前記一対のシャフトはそれぞれ前記一対の仕切り板に支持されていることを特徴とする請求項１に記載の電気コネクタ。
【請求項３】
前記保持アームは、前記保持アームの前端の上部から上方へ突出したストッパー部が設けられ、前記ストッパー部は、前記仕切り板の前端に位置し、前記一対のシャフトは、前記留め具の前記保持アーム上、且つ前記ストッパー部と前記仕切り板の間に設置されていることを特徴とする請求項２に記載の電気コネクタ。
【請求項４】
前記接続座体は、前記延伸部の上部から上方へ突出した一対のガイド突出部を更に有し、前記一対のガイド突出部は、前記一対の仕切り板の内側に近設され、前記フラットケーブルの前縁をガイドすると共に前記フラットケーブルの位置を固定させるように設けられていることを特徴とする請求項２に記載の電気コネクタ。
【請求項５】
前記接続座体は、上部の前縁に少なくとも一つの斜面が設けられており、前記蓋板を開けたとき、前記蓋板が前記斜面に支持されるように設けられていることを特徴とする請求項１に記載の電気コネクタ。
【請求項６】
前記第一嵌合部は、前記蓋板に貫装された嵌合孔と、前記嵌合孔内に突設された嵌合バンプと、を有し、前記第二嵌合部は、前記延伸アームの前記末端から上方へ突出し、逆Ｌ形に形成されたロックブロックと前記延伸アームの前記末端から前方へ突出した支持ブロックと、前記ロックブロックと前記支持ブロックの間に形成されたロック溝を有し、前記嵌合バンプは前記ロック溝に嵌合されるように設けられていることを特徴とする請求項１に記載の電気コネクタ。
【請求項７】
前記第一嵌合部は、嵌合孔と、前記蓋板の底面から突出した係合ブロックを有し、前記係合ブロックは前記嵌合孔に近接され、前記第二嵌合部は、前記延伸アームの前記末端から前方へ突出した支持ブロックと、前記延伸アームの前記末端から上方へ延伸後、下向きに屈曲されたロックブロックと、を有し、前記蓋板を前記接続座体に向けて閉蓋し、前記ロックブロックが前記嵌合孔に挿嵌されたとき、前記係合ブロックが前記ロックブロックの一側に位置するよう設けられていることを特徴とする請求項１に記載の電気コネクタ。
【請求項８】
前記第二嵌合部の底部が電子回路基板に溶接されていることを特徴とする請求項１に記載の電気コネクタ。
【考案の詳細な説明】
【技術分野】
【０００１】
本考案は、電気コネクタに関し、特にフラットケーブルに電気的に接続し、固定する上蓋を有する電気コネクタに関する。
【背景技術】
【０００２】
従来のフレキシブルフラットケーブルを固定するためのコネクタとして、例えば特許文献１に示すものが開示されている。このコネクタ構造においては、プラスチック本体に突出した一対の固定ブロックを設けると共に、フラットケーブルの両側に、固定ブロックに対応した一対の固定孔が設けられており、固定ブロックと対応する固定孔によってフラットケーブルを固定させている。
【先行技術文献】
【特許文献】
【０００３】
【特許文献１】台湾特許第Ｍ３５９０６５号公報
【考案の概要】
【考案が解決しようとする課題】
【０００４】
しかしながら、上述した従来の電気コネクタは体積が小さい為、固定ブロックの強度が不十分なことから、破損が容易となり、フラットケーブルがコネクタから抜け易いという問題がある。
【０００５】
また、プラスチック本体に固定ブロックを設けることにより、プラスチック本体の金型開発における困難さを増す。  
【０００６】
本考案は、フラットケーブルをコネクタ内部に容易に抜けないようしっかりと固定する該コネクタ構造を提供することを目的とする。
【課題を解決するための手段】
【０００７】
上述の課題を解決するために、本考案は、一対の固定孔が設けられる、フラットケーブルを前端から差し込み、固定するための電気コネクタであって、接続座体と、複数の端子と、蓋板と、一対の留め具を有し、前記接続座体は、複数の端子スロットが設けられる本体部と、前記本体部の底部から前方へ伸びた延伸部と、前記本体部の両側に設けられる一対の収納スロットを有し、前記複数の端子は、前記本体部の前記複数の端子スロット内に収容され、前記蓋板は、前記接続座体に取りつけられる一対のシャフトと、一対の第一嵌合部を有し、前記一対の留め具は、金属製で、それぞれ前記本体部内に固定される保持アームと、前記保持アームから前方へ伸びた延伸アームと、を有し、前記延伸アームの末端には第二嵌合部が設けられ、前記第二嵌合部は、前記第一嵌合部に嵌合されると共に前記フラットケーブルに設けられる前記一対の固定孔に挿嵌され、前記フラットケーブルを固定させるように設けられていることを特徴とする電気コネクタを提供する。
【考案の効果】
【０００８】
第二嵌合部がフラットケーブルの固定孔を貫通した後、蓋板の第一部に嵌合することで、フラットケーブルがしっかりと固定される。
また、留め具が金属性である為非常に丈夫で、容易に破損しない。  
【図面の簡単な説明】
【０００９】
【図１】本考案の電気コネクタの立体分解図である。
【図２】本考案の電気コネクタの立体組合図である。
【図３】本考案の電気コネクタにおける蓋板を開けたときの組合立体図である。
【図４】図３の４−４線に沿った断面図である。
【図５】本考案の電気コネクタにおける蓋板を閉めたときの組合立体図である。
【図６】図５の６−６線に沿った断面図である。
【図７】図５の７−７線に沿った断面図である。
【図８】本考案の電気コネクタの実施例二の立体組合図である。
【図９】本考案の電気コネクタの実施例二のもう一つの立体組合図である。
【考案を実施するための形態】
【００１０】
以下、本考案の実施形態を図面に基づいて説明する。なお、以下の説明は例示にすぎず、本考案の範囲を制限するものではない。
【００１１】
図１と図２は、それぞれ本考案の電気コネクタの立体分解図及び立体組合図である。コネクタ構造１００は、蓋板１１０、接続座体１２０、複数の端子１３０、及び一対の留め具１４０からなり、フラットケーブル２００と電気的に接続されると共に、フラットケーブル２００を固定させる。
【００１２】
フラットケーブル２００には、一対の固定孔２０２が設けられ、底部には、複数の導線（図示せず）が露出している。
【００１３】
また、フラットケーブル２００は、電気コネクタ１００の前端から差し込まれる。
【００１４】
蓋板１１０は、底部から外側へ突出した一対のシャフト１１４、一対の第一嵌合部１１２、及び両側の底面に設けられた一対の位置決め部１１３を有し、シャフト１１４は接続座体１２０に取りつけられ、各第一嵌合部１１２は、蓋板１１０に貫装された嵌合孔１１２０、嵌合孔１１２０内に後方向かって突設された、嵌合バンプ１１２２、及び一対のシャフト１１４の間に間隔を置いて設けられた複数の横軸１１５が備えられている。
【００１５】
接続座体１２０は、本体部１２１、本体部１２１の両側から前方へ伸びた一対の側壁１２２、本体部１２１の底部から前方へ伸びた延伸部１２４を有し、本体部１２１は、両側に設けられた一対の収納スロット１２０２、複数の端子スロット１２１０、及び収納スロット１２０２の上方に設けられた一対の仕切り板１２０１を備えている。
【００１６】
複数の端子１３０は、本体部１２１の端子スロット１２１０内に収納される。  
【００１７】
本実施例における接続座体１２０には、延伸部１２４の上部から上方へ突出した一対のガイド突出部１２４２と上部の前縁に少なくとも一つの斜面１２１２が更に設けられている。一対の該ガイド突出部１２４２は、一対の仕切り板１２０１の内側に近設され、フラットケーブル２００の前縁をガイドし、フラットケーブル２００の位置決めを行う。
【００１８】
蓋板１１０を開けたとき、蓋板１１０は斜面１２１２に支持される。
【００１９】
また、側壁１２２の前端には、平面１２２２が形成され、蓋板１１０を閉めたとき、蓋板１１０平面１２２２に支持される。  
【００２０】
一対の留め具１４０は、金属部材をプレス加工して製作され、それぞれ接続座体１２０の一対の収納スロット１２０２内に固定される。
【００２１】
一対の留め具１４０は、それぞれ本体部１２０の一対の収納スロット１２０２内に固定される保持アーム１４１、保持アーム１４１から前方へ伸びた延伸アーム１４２を備えている。  
【００２２】
保持アーム１４１は、その前端の上部から上方へ突出したストッパー部１４１２が設けられ、本体部１２０の仕切り板１２０１の前端に位置するよう設けられる。
【００２３】
蓋板１１０の一対のシャフト１１４は留め具１４０の保持アーム１４１上のストッパー部１４１２と仕切り板１２０１の間に取りつけられる。
【００２４】
延伸アーム１４２の末端には、第二嵌合部１４３が設けられており、蓋板１１０を閉めたとき、第二嵌合部１４３が第一嵌合部１１２と固定孔２０２のそれぞれに挿嵌することで、フラットケーブル２００を係止させる。  
【００２５】
以下は、本実施例における留め具１４０に設けられる第二嵌合部１４３の構造、及び第一嵌合部１１２への挿嵌方法について詳しく説明する。
【００２６】
第二嵌合部１４３は、延伸アーム１４２末端から上方へ突出し、逆Ｌ形に形成されたロックブロック１４３１、延伸アーム１４２の末端から前方へ突出した支持ブロック１４３２、ロックブロック１４３１と支持ブロック１４３２の間に形成されたロック溝１４３３を有し、蓋板１１０を閉めたとき、第一嵌合部１１２の嵌合バンプ１１２２がロック溝１４３３に嵌合される。  
【００２７】
図３と図４は、それぞれ本考案の電気コネクタにおける蓋板を開けたときの組合立体図、及び図３に示す４−４線に沿った断面図である。
【００２８】
図３に示すように、フラットケーブル２００を接続座体１２０内に差込み、固定孔２０２を第二嵌合部１４３へ挿嵌させる。その際、フラットケーブル２００の底部に設けられた複数の導線（図示せず）は、端子１３０と電気的に接続される。また、
【００２９】
第二嵌合部１４３のロックブロック１４３１とロック溝１４３３はフラットケーブル２００上から突出している。
【００３０】
図４に示すように、蓋板１１０が開けられたとき、蓋板１１０は、本体部１２１に設けられる斜面１２１２に支持される。これにより、蓋板１１０をあらかじめ設定された角度（斜面１２１２の角度）に支持することができる。
【００３１】
また、蓋板１１０の嵌合孔１１２０内には、嵌合バンプ１１２２が突設されている。
【００３２】
端子１３０の後端の底部は接続座体１２０から露出され、電子回路基板に溶接される（図示なし）。
【００３３】
図５〜図７は、それぞれ本考案における電気コネクタの蓋板を閉めたときの組合立体図、及び図５の６−６線、７−７線に沿った断面図である。
【００３４】
図６に示すように、第一嵌合部１１２の嵌合バンプ１１２２がロック溝１４３３に嵌合されることで、蓋板１１０が固定される。その際、蓋板１１０の嵌合バンプ１１２２は、支持ブロック１４３２により支持される。
【００３５】
留め具１４０を電子回路基板（図示なし）上に溶接するために、第二嵌合部１４３の底面は、接続座体１２０の底面より低い位置に設けられている。
【００３６】
図７に示すように、端子１３０の前端にはフック部１３１があり、蓋板１１０の横軸１１５は、端子１３０のフック部１３１に掛止されている。  
【００３７】
図８と図９に示すのは、本考案の電気コネクタの実施例二の立体組合図である。実施例一と実施例二における相違点は、フラットケーブル２００に設けられた固定孔２０２aが実施例一のものと比べて大きく設けられている点である。
【００３８】
蓋板１１０ａの第一嵌合部１１２ａは、嵌合孔１１２０及び蓋板１１０ａの底面に突出して設けられ嵌合孔１１２０に近設された係合ブロック１１２４を有している。
【００３９】
実施例二における係合ブロック１１２４は、嵌合孔１１２０の外側に設けられているが、嵌合孔１１２０の内側であってもよい。
【００４０】
蓋板１１０ａの両側には、後方へ突出した一対の位置決め部１１３ａが設けられている。
【００４１】
また、位置決め部１１３ａに対応して、接続座体１２０ａの二つの側壁１２２には、それぞれ位置決めバンプ１２２４が設けられている。これにより、蓋板１１０ａを閉めたとき、位置決め部１１３ａは、位置決めバンプ１１２４に支持される。
【００４２】
第二嵌合部１４３ａは、延伸アーム１４２の末端から前方へ突出した支持ブロック１４３４、及び延伸アーム１４２の末端から上方へ延伸後、下方向へ屈曲して設けられたロックブロック１４３５を有し、蓋板１１０ａを閉めたとき、ロックブロック１４３５が嵌合孔１１２０に挿嵌される。
【００４３】
また、ロックブロック１４３５に近設された係合ブロック１１２４も嵌合孔１１２０に挿嵌される。
【００４４】
実施例二では、第二嵌合部１４３ａのロックブロック１４３５と係合ブロック１１２４がフラットケーブル２００ａの該固定孔２０２ａ内に挿嵌されることで、フラットケーブル２００ａが、よりしっかりと該電気コネクタ１００ａに固定されるようになる。
【符号の説明】
【００４５】
１００，１００ａ…電気コネクタ
１１０，１１０ａ…蓋板      
１１２，１１２ａ…第一嵌合部    
１１３，１１３ａ…位置決め部    
１１２０…嵌合孔              
１１２２…嵌合バンプ
１１２４…係合ブロック    
１１４…シャフト                
１１５…横軸    
１２０，１２０ａ…接続座体
１２１…本体部    
１２０１…仕切り板              
１２０２…収納スロット    
１２１０…端子スロット              
１２１２…斜面    
１２２…側壁                
１２２２…平面    
１２２４…位置決めバンプ  
１２４…延伸部              
１２４２…ガイド突出部  
１３０…端子      
１３１…フック部    
１４０…留め具    
１４１…保持アーム            
１４２…延伸アーム    
１４１２…ストッパー部    
１４３，１４３ａ…第二嵌合部
１４３１，１４３５…ロックブロック          
１４３２，１４３４…支持ブロック    
１４３３…ロック溝  
２００，２００ａ…フラットケーブル      
２０２，２０２ａ…固定孔    
【図１】
0003161714.tif 000003
【図２】
0003161714.tif 000004
【図３】
0003161714.tif 000005
【図４】
0003161714.tif 000006
【図５】
0003161714.tif 000007
【図６】
0003161714.tif 000008
【図７】
0003161714.tif 000009
【図８】
0003161714.tif 000010
【図９】
0003161714.tif 000011